(57)【要約】      （修正有）【課題】組み立てや折り畳みが簡易にできる収納箱を提供する。【解決手段】折り畳み式の収納箱１であって、収納領域を形成する枠状の側面部２を備え、該側面部２は、一方向に対向する一対の面部１０，１１と、一方向に直交する他方向に対向する一対の面部１２，１３とを有する。何れか一方の一対の面部１０，１１は、硬質の板状体で形成され、他方の一対の面部１２，１３は、板状の硬質部材を抜き差し可能な収納部３を有すると共に軟質で折り畳み可能に構成されている。収納部３に硬質部材を挿入して収納することにより組立状態となり、収納部３から収納した硬質部材を抜いて他方の一対の面部を折り畳むことにより折り畳み状態となる。【選択図】図１
0003181243.tif 000002
【実用新案登録請求の範囲】
【請求項１】
折り畳み式の収納箱であって、収納領域を形成する枠状の側面部を備え、該側面部は、一方向に対向する一対の面部と、前記一方向に直交する他方向に対向する一対の面部とを有し、何れか一方の一対の面部は、硬質の板状体で形成され、他方の一対の面部は、板状の硬質部材を抜き差し可能な収納部を有すると共に軟質で折り畳み可能に構成されており、
前記収納部に前記硬質部材を挿入して収納することにより組立状態となり、前記収納部から該収納した硬質部材を抜いて前記他方の一対の面部を折り畳むことにより折り畳み状態となることを特徴とする収納箱。
【請求項２】
前記収納領域を仕切るための仕切り板が、前記他方の一対の面部の対向する方向に沿って、該他方の一対の各面部同士を連結するように設けられていることを特徴とする請求項１記載の収納箱。
【請求項３】
前記一方の一対の面部は、上下方向に対向する一対の上下面部であり、前記他方の一対の面部は、左右方向に対向する一対の左右面部であり、
収納領域を仕切るための仕切り板が、前記左右方向に沿って一対の左右面部の各面部同士を連結するように設けられていることを特徴とする請求項１記載の収納箱。
【請求項４】
前記一方の一対の面部は、左右方向に対向する一対の左右面部であり、前記他方の一対の面部は、上下方向に対向する一対の上下面部であり、
収納領域を仕切るための仕切り板が、前記上下方向に沿って一対の上下面部の各面部同士を連結するように設けられていることを特徴とする請求項１記載の収納箱。
【請求項５】
収納領域を仕切るための仕切り板が、前記一方向に沿って設けられる第一仕切り板と、前記他方向に沿って設けられる第二仕切り板とを有してなり、第一仕切り板又は第二仕切り板のうち一方の仕切り板が着脱自在に構成されており、該一方の仕切り板の沿う方向と平行になる一対の面部が前記他方の一対の面部であることを特徴とする請求項１記載の収納箱。
【請求項６】
前記一方向及び他方向に直交する方向の前記側面部の一端側で囲まれた一面は、開口しており、他端側で囲まれた他面は、軟質で折り畳み可能に構成される他面部で覆われていることを特徴とする請求項１乃至５のいずれか１項に記載の収納箱。
【請求項７】
前記一方の一対の面部は、上下方向に対向する一対の上下面部であり、前記他方の一対の面部は、左右方向に対向する一対の左右面部であり、
該一対の左右面部における前記収納部は、上端部が開口をなして一対の左右面部の上下方向の略全長に亘る袋状に形成されて、該開口に対して前記硬質部材を上下方向に沿って抜き差し可能に構成されており、
前記収納部の開口から前記硬質部材を上下方向に挿入して収納することにより組立状態となることを特徴とする請求項１乃至３のいずれか１項に記載の収納箱。
【請求項８】
前記収納部の開口から前記収納した硬質部材を上下方向に抜いて、前記一対の左右面部を上下方向に折り重ねることにより折り畳み状態となることを特徴とする請求項７記載の収納箱。
【請求項９】
前記上下方向及び左右方向に直交する前後方向の前記側面部の前端側で囲まれた前面は、開口しており、後端側で囲まれた後面は、軟質で折り畳み可能に構成される後面部で覆われていることを特徴とする請求項７又は８記載の収納箱。
【考案の詳細な説明】
【技術分野】
【０００１】
本考案は、折り畳みと組み立てとが可能な折り畳み式の収納箱に関する。
【背景技術】
【０００２】
従来、この種の収納箱として、硬質の材質からなる矩形枠状の４面の側壁と、可撓性を有する材質からなる底面と、前記４面の側壁と底面とで確定される収納空間を仕切るための硬質の仕切り板とからなる収納箱が知られている（特許文献１の図１参照）。この収納箱では、４面の側壁のうち対向する一対の側壁の中間位置には、該一対の側壁を折り畳むための折線が設けられており、４面の側壁のうち１面の下端には、挿入溝が設けられている。
【０００３】
かかる収納箱では、硬質の底板を挿入溝から挿入して底面上に設置し、仕切り板を適宜な角度回転して収納空間内に設置することで組み立てることができる。また、かかる収納箱では、底面上に設置した底板を挿入溝から抜き出し、仕切り板を適宜な角度回転させて、折線に沿って一対の側壁を折り畳むことで平坦な状態にする（即ち折り畳む）ことができる（特許文献１の図３参照）。
【０００４】
しかしながら、かかる収納箱では、上記のように組み立てや折り畳みに係る作業が煩雑であるという課題があった。
【先行技術文献】
【特許文献】
【０００５】
【特許文献１】実用新案登録第３１１３８２３号公報
【考案の概要】
【考案が解決しようとする課題】
【０００６】
そこで、本考案は、上記問題に鑑みてなされたもので、組み立てや折り畳みが簡易にできる収納箱を提供することを課題とする。
【課題を解決するための手段】
【０００７】
本考案に係る収納箱は、上記課題を解決するためになされたもので、折り畳み式の収納箱であって、収納領域を形成する枠状の側面部を備え、該側面部は、一方向に対向する一対の面部と、前記一方向に直交する他方向に対向する一対の面部とを有し、何れか一方の一対の面部は、硬質の板状体で形成され、他方の一対の面部は、板状の硬質部材を抜き差し可能な収納部を有すると共に軟質で折り畳み可能に構成されており、前記収納部に前記硬質部材を挿入して収納することにより組立状態となり、前記収納部から該収納した硬質部材を抜いて前記他方の一対の面部を折り畳むことにより折り畳み状態となることを特徴とする。
【０００８】
かかる収納箱によれば、他方の一対の面部における収納部に硬質部材を挿入して収納することにより組み立てることができ、収納した硬質部材を前記収納部から抜いて他方の一対の面部を折り重ねることにより折り畳むことができるので、組み立てや折り畳みが簡易にできる。
【０００９】
また、本考案に係る収納箱では、前記収納空間を仕切るための仕切り板が、前記他方の一対の面部の対向する方向に沿って、該他方の一対の各面部同士を連結するように設けられるように構成することも可能である。
【００１０】
かかる収納箱によれば、組み立てや折り畳みの際に、仕切り板を操作することを要さないので、組み立てや折り畳みが簡易にできる。
【００１１】
また、本考案に係る収納箱では、前記一方の一対の面部は、上下方向に対向する一対の上下面部であり、前記他方の一対の面部は、左右方向に対向する一対の左右面部であり、収納空間を仕切るための仕切り板が、前記左右方向に沿って一対の左右面部の各面部同士を連結するように設けられるように構成することも可能である。
【００１２】
かかる収納箱によれば、一対の左右面部における収納部に硬質部材を挿入して収納することにより組み立てることができ、収納した硬質部材を前記収納部から抜くことにより一対の左右面部が上下方向に折り重ねられて折り畳むことができるので、組み立てや折り畳みが簡易にできる。
【００１３】
また、本考案に係る収納箱では、前記一方の一対の面部は、左右方向に対向する一対の左右面部であり、前記他方の一対の面部は、上下方向に対向する一対の上下面部であり、収納空間を仕切るための仕切り板が、前記上下方向に沿って一対の上下面部の各面部同士を連結するように設けられるように構成することも可能である。
【００１４】
かかる収納箱によれば、一対の上下面部における収納部に硬質部材を挿入して収納することにより組み立てることができ、収納した硬質部材を前記収納部から抜いて一対の上下面部を左右方向に折り重ねることにより折り畳むことができるので、組み立てや折り畳みが簡易にできる。
【００１５】
また、本考案に係る収納箱では、収納空間を仕切るための仕切り板が、前記一方向に沿って設けられる第一仕切り板と、前記他方向に沿って設けられる第二仕切り板とを有してなり、第一仕切り板又は第二仕切り板のうち一方の仕切り板が着脱自在に構成されており、該一方の仕切り板の沿う方向と平行になる一対の面部が前記他方の一対の面部であるように構成することも可能である。
【００１６】
かかる収納箱によれば、第一仕切り板と第二仕切り板とにより収納空間を仕切ることができ、収納性に優れており、組み立てや折り畳みの際には、着脱自在に構成される一方の仕切り板を着脱することにより、組み立てや折り畳みが簡易にできる。
【００１７】
また、本考案に係る収納箱では、前記一方向及び他方向に直交する方向の前記側面部の一端側で囲まれた一面は、開口しており、他端側で囲まれた他面は、軟質で折り畳み可能に構成される他面部で覆われるように構成することも可能である。
【００１８】
かかる収納箱によれば、側面部の一端側で囲まれた一面が開口し、他端側で囲まれた他面が他面部により覆われているので、一面側から収納空間に収納した被収納物が他面側から不用意に出ることを防止することができる。更に、かかる収納箱では、他面部が軟質で折り畳み可能に構成されているので、組み立ての際には他面部が伸ばされ、折り畳みの際には他面部を折り重ねることにより折り畳むことができるので、組み立てや折り畳みが簡易にできる。
【００１９】
また、本考案に係る収納箱では、前記一方の一対の面部は、上下方向に対向する一対の上下面部であり、前記他方の一対の面部は、左右方向に対向する一対の左右面部であり、該一対の左右面部における前記収納部は、上端部が開口をなして一対の左右面部の上下方向の略全長に亘る袋状に形成されて、該開口に対して前記硬質部材を上下方向に沿って抜き差し可能に構成されており、前記収納部の開口から前記硬質部材を上下方向に挿入して収納することにより組立状態となるように構成することも可能である。
【００２０】
かかる収納箱によれば、一対の左右面部における収納部の開口から硬質部材を上下方向に挿入して収納することにより組み立てることができ、組み立てが簡易にできる。
【００２１】
また、本考案に係る収納箱では、前記収納部の開口から前記収納した硬質部材を上下方向に抜いて、前記一対の左右面部を上下方向に折り重ねることにより折り畳み状態となるように構成することも可能である。
【００２２】
かかる収納箱によれば、一対の左右面部における収納部の開口から収納した硬質部材を上下方向に抜くことにより、前記一対の左右面部が上下方向に折り重ねられて折り畳むことができるので、折り畳みが簡易にできる。
【００２３】
また、本考案に係る収納箱では、前記上下方向及び左右方向に直交する前後方向の前記側面部の前端側で囲まれた前面は、開口しており、後端側で囲まれた後面は、軟質で折り畳み可能に構成される後面部で覆われるように構成することも可能である。
【００２４】
かかる収納箱によれば、側面部の前面が開口し、後面が後面部により覆われているので、前面側から収納空間に収納した被収納物が後面側から不用意に出ることを防止することができる。更に、かかる収納箱では、後面部が軟質で折り畳み可能に構成されているので、組み立ての際には後面部が上下方向に伸ばされ、折り畳みの際には後面部が上下方向に折り重ねられて折り畳むことができるので、組み立てや折り畳みが簡易にできる。
【考案の効果】
【００２５】
以上のように、本考案に係る収納箱によれば、他方の一対の面部における収納部に硬質部材を挿入して収納することにより組み立てることができ、収納した硬質部材を前記収納部から抜いて他方の一対の面部を折り重ねることにより折り畳むことができるので、組み立てや折り畳みが簡易にできるという効果を奏する。
【図面の簡単な説明】
【００２６】
【図１】本考案の一実施形態に係る収納箱を組み立てた状態の右前方斜視図である。
【図２】同収納箱の右後方斜視図である。
【図３】同収納箱の右側面図である。
【図４】同収納箱を折り畳んだ状態の右前方斜視図である。
【図５】同収納箱に被収納物を収納した状態の右前方斜視図である。
【考案を実施するための形態】
【００２７】
以下、本考案に係る収納箱の一実施形態について、図１から図４を参照しつつ説明する。本実施形態の収納箱は、図１と図４に示すように、折り畳みと組み立てとが可能な折り畳み式の収納箱１であって、被収納物（例えば、書類や雑貨又はそれらを入れる容器など）を収納するための収納空間を形成する枠状の側面部２を備えてなる。
【００２８】
側面部２は、一方向に対向する一対の面部と、前記一方向に直交する他方向に対向する一対の面部とを有し、何れか一方の一対の面部１０，１１は、硬質の板状体で形成され、他方の一対の面部１２，１３は、板状の硬質部材を抜き差し可能な収納部を有すると共に軟質で折り畳み可能に構成される。
【００２９】
本実施形態の側面部２は、図１と図２に示すように、矩形枠状をなす４面で構成されており、上下方向に対向する一対の上下面部１０，１１（前記一方の一対の面部１０，１１）と、上下方向に直交する左右方向に対向する一対の左右面部１２，１３（前記他方の一対の面部１２，１３）とを有し、一対の上下面部１０，１１と一対の左右面部１２，１３とが周方向に連結されてなる。
【００３０】
一対の上下面部１０，１１における上面部１０と下面部１１とは、左右方向に長尺であり硬質な矩形板状体である。本実施形態の上面部１０と下面部１１とは、硬質な矩形板部材の内側表面（収納空間を形成する表面）と外側表面（内側表面の裏側の面）とが軟質な布材で被覆されてなる。
【００３１】
一対の左右面部１２，１３における左面部１２と右面部１３とは、軟質で折り畳み可能な矩形体であり、上下方向に長尺に形成されている。この左面部１２と右面部１３とは各々、収納部３を有している。収納部３は、図３に示すように、上端部が開口３ａをなして一対の左右面部１２，１３の上下方向の略全長に亘る袋状に形成されて、開口３ａに対して矩形板状の硬質部材Ｔを上下方向に沿って抜き差し可能に構成されている。尚、硬質部材Ｔの上下・左右方向の寸法は、左面部１２又は右面部１３の上下・左右方向の寸法に対して、略同一又は僅かに短い又は僅かに長い。
【００３２】
本実施形態の左面部１２と右面部１３とは、軟質の二枚の布材が左右方向に重ね合わせられ、上端縁を除く周縁部同士が縫い合わされてなる。この二枚の布材により袋状に形成された部分が収納部３である。また、左面部１２及び右面部１３の上下方向の寸法は、上面部１０又は下面部１１の左右方向の寸法よりも長く構成されている。
【００３３】
より詳細には、本実施形態の左面部１２と右面部１３とは、図３に示すように、前記二枚の布材のうち収納空間側の内側布材４ａの上下方向の寸法が、外側布材４ｂの上下方向の寸法よりも長く形成されており、内側布材４ａの上端部が外側布材４ｂよりも上方に突出するようにして、外側布材４ｂの上端縁を除く周縁部を内側布材４ａの対応する周縁部に縫合してなる。そのため、外側布材４ｂよりも上方に突出している内側布材４ａの上端部は、収納部３の開口３ａを閉じるための蓋部４ｃになっている。この蓋部４ｃは、収納部３の開口３ａを閉じるように、外側布材４ｂの上端部における外表面に対して折り重ねられる構成をなしている。また、蓋部４ｃと外側布材４ｂとは、前記折り重ねた際に互いに接着される面ファスナ４ｄを有している。
【００３４】
かかる側面部２では、前後方向（上下方向及び左右方向に直交する方向）の前端側で囲まれた前面は、開口２ａをなしており、後端側で囲まれた後面は、後面部１４で覆われている（図１，２参照）。尚、側面部２の後面が開口２ａをなし、前面が後面部１４で覆われる構成とすることも可能である。
【００３５】
後面部１４は、軟質で折り畳み可能に構成されている。本実施形態の後面部１４は、軟質の布材からなる矩形体であり、後面部１４の周縁部は、側面部２の後端に縫合されている。この後面部１４には、一つの対角線状に沿って切れ目が設けられ、該切れ目による開口を開閉するための線ファスナ１４ａが設けられている（図２参照）。尚、後面部１４は、一つの対角線状に沿う切れ目だけを有してなる構成や、切れ目を有さない平滑面からなる構成にすることも可能である。
【００３６】
このような側面部２のうち一対の左右面部１２，１３同士を連結するようにして、左右方向に沿って収納空間を仕切るための仕切り板１５が設けられている（図１参照）。本実施形態の仕切り板１５は、硬質の矩形板状体であり、上下方向に離間して二枚設けられている。尚、仕切り板１５は、一枚のみ、又は、上下方向に離間して複数枚（二枚を除く）設けられることも可能である。或いは、仕切り板１５は、設けられないことも可能である。
【００３７】
上記構成の収納箱１は、収納部３に硬質部材Ｔを挿入して収納することにより組立状態となり（図１，３参照）、収納部３から該収納した硬質部材Ｔを抜いて一対の左右面部１２，１３を折り畳むことにより折り畳み状態となる（図４参照）。
【００３８】
具体的には、収納箱１では、左面部１２と右面部１３との各収納部３の開口３ａから硬質部材Ｔを上下方向に挿入して収納することにより、左面部１２と右面部１３とが上下方向に伸ばされて組立状態にすることができる。この組立状態において、収納箱１では、図５に示すように、仕切り板１５で区切られた各段に被収納物（例えば、折り畳み式の箱）Ｃを収納することができる。そして、収納箱１では、各収納部３の開口３ａから前記収納した硬質部材Ｔを上下方向に抜いて、左面部１２と右面部１３と後面部１４とを上下方向に折り重ねることにより折り畳み状態にすることができる。
【００３９】
以上、本実施形態に係る収納箱１によれば、折り畳み式の収納箱１であって、収納領域を形成する枠状の側面部２を備え、該側面部２は、一方向に対向する一対の面部と、前記一方向に直交する他方向に対向する一対の面部とを有し、何れか一方の一対の面部１０，１１は、硬質の板状体で形成され、他方の一対の面部１２，１３は、板状の硬質部材Ｔを抜き差し可能な収納部３を有すると共に軟質で折り畳み可能に構成されており、前記収納部３に前記硬質部材Ｔを挿入して収納することにより組立状態となり、前記収納部３から該収納した硬質部材Ｔを抜いて前記他方の一対の面部を折り畳むことにより折り畳み状態となるように構成されている。
【００４０】
かかる収納箱１によれば、他方の一対の面部１２，１３における収納部３に硬質部材Ｔを挿入して収納することにより組み立てることができ、収納した硬質部材Ｔを前記収納部３から抜いて他方の一対の面部１２，１３を折り重ねることにより折り畳むことができるので、組み立てや折り畳みが簡易にできる。
【００４１】
また、本実施形態に係る収納箱１では、前記収納空間を仕切るための仕切り板１５が、前記他方の一対の面部１２，１３の対向する方向に沿って、該他方の一対の各面部同士１２，１３を連結するように設けられるように構成されている。
【００４２】
かかる収納箱１によれば、組み立てや折り畳みの際に、仕切り板１５を操作することを要さないので、組み立てや折り畳みが簡易にできる。
【００４３】
また、本実施形態に係る収納箱１では、前記一方の一対の面部は、上下方向に対向する一対の上下面部１０，１１であり、前記他方の一対の面部は、左右方向に対向する一対の左右面部１２，１３であり、収納空間を仕切るための仕切り板１５が、前記左右方向に沿って一対の左右面部の各面部同士１２，１３を連結するように設けられるように構成されている。
【００４４】
かかる収納箱１によれば、一対の左右面部１２，１３における収納部３に硬質部材Ｔを挿入して収納することにより組み立てることができ、収納した硬質部材Ｔを前記収納部３から抜くことにより一対の左右面部１２，１３が上下方向に折り重ねられて折り畳むことができるので、組み立てや折り畳みが簡易にできる。
【００４５】
また、本実施形態に係る収納箱１では、前記一方向及び他方向に直交する方向の前記側面部２の一端側で囲まれた一面は、開口２ａしており、他端側で囲まれた他面は、軟質で折り畳み可能に構成される他面部１４で覆われるように構成されている。
【００４６】
かかる収納箱１によれば、側面部２の一端側で囲まれた一面が開口２ａし、他端側で囲まれた他面が他面部１４により覆われているので、一面側から収納空間に収納した被収納物が他面側から不用意に出ることを防止することができる。更に、かかる収納箱１では、他面部１４が軟質で折り畳み可能に構成されているので、組み立ての際には他面部１４が伸ばされ、折り畳みの際には他面部１４を折り重ねることにより折り畳むことができるので、組み立てや折り畳みが簡易にできる。
【００４７】
また、本実施形態に係る収納箱１では、前記一方の一対の面部は、上下方向に対向する一対の上下面部１０，１１であり、前記他方の一対の面部は、左右方向に対向する一対の左右面部１２，１３であり、該一対の左右面部１２，１３における前記収納部３は、上端部が開口３ａをなして一対の左右面部１２，１３の上下方向の略全長に亘る袋状に形成されて、該開口３ａに対して前記硬質部材Ｔを上下方向に沿って抜き差し可能に構成されており、前記収納部３の開口３ａから前記硬質部材Ｔを上下方向に挿入して収納することにより組立状態となるように構成されている。
【００４８】
かかる収納箱１によれば、一対の左右面部１２，１３における収納部３の開口３ａから硬質部材Ｔを上下方向に挿入して収納することにより組み立てることができ、組み立てが簡易にできる。
【００４９】
また、本実施形態に係る収納箱１では、前記収納部３の開口３ａから前記収納した硬質部材Ｔを上下方向に抜いて、前記一対の左右面部１２，１３を上下方向に折り重ねることにより折り畳み状態となるように構成されている。
【００５０】
かかる収納箱１によれば、一対の左右面部１２，１３における収納部３の開口３ａから収納した硬質部材Ｔを上下方向に抜くことにより、前記一対の左右面部１２，１３が上下方向に折り重ねられて折り畳むことができるので、折り畳みが簡易にできる。
【００５１】
また、本実施形態に係る収納箱１では、前記上下方向及び左右方向に直交する前後方向の前記側面部２の前端側で囲まれた前面は、開口２ａしており、後端側で囲まれた後面は、軟質で折り畳み可能に構成される後面部１４で覆われるように構成されている。
【００５２】
かかる収納箱１によれば、側面部２の前面が開口２ａし、後面が後面部１４により覆われているので、前面側から収納空間に収納した被収納物が後面側から不用意に出ることを防止することができる。更に、かかる収納箱１では、後面部１４が軟質で折り畳み可能に構成されているので、組み立ての際には後面部１４が上下方向に伸ばされ、折り畳みの際には後面部１４が上下方向に折り重ねられて折り畳むことができるので、組み立てや折り畳みが簡易にできる。
【００５３】
尚、本考案に係る収納箱は、上記実施形態に限定されるものではなく、本考案の要旨を逸脱しない範囲で種々の変更が可能である。
【００５４】
例えば、上記実施形態に係る収納箱１において、前記一方の一対の面部１０，１１は、左右方向に対向する一対の左右面部であり、前記他方の一対の面部１２，１３は、上下方向に対向する一対の上下面部であり、収納空間を仕切るための仕切り板１５が、前記上下方向に沿って一対の上下面部の各面部同士を連結するように設けられるように構成することも可能である。かかる収納箱によれば、一対の上下面部における収納部に硬質部材を挿入して収納することにより組み立てることができ、収納した硬質部材を前記収納部から抜いて一対の上下面部を左右方向に折り重ねることにより折り畳むことができるので、組み立てや折り畳みが簡易にできる。
【００５５】
或いは、前記一方の一対の面部１０，１１は、前後方向に対向する一対の前後面部であり、前記他方の一対の面部１２，１３は、左右方向に対向する一対の左右面部であるような構成や、前記一方の一対の面部１０，１１は、左右方向に対向する一対の左右面部であり、前記他方の一対の面部１２，１３は、前後方向に対向する一対の前後面部であるような構成にすることも可能である。
【００５６】
また、上記実施形態に係る収納箱では、収納空間を仕切るための仕切り板１５が、前記一方向に沿って設けられる第一仕切り板と、前記他方向に沿って設けられる第二仕切り板とを有してなり、第一仕切り板又は第二仕切り板のうち一方の仕切り板が着脱自在に構成されており、該一方の仕切り板の沿う方向と平行になる一対の面部が前記他方の一対の面部であるように構成することも可能である。尚、前記一方の仕切り板は、軟質で折り畳み可能に構成されても良い。例えば、上記実施形態において、仕切り板１５は、左右方向に沿って設けられる硬質の第一仕切り板と、上下方向に沿って設けられる第二仕切り板とを有してなり、第二仕切り板が着脱自在（例えば、面ファスナを用いて着脱可能）、又は、軟質で折り畳み可能に構成されることが可能である。かかる収納箱によれば、第一仕切り板と第二仕切り板とにより収納空間を仕切ることができ、収納性に優れており、組み立てや折り畳みの際には、第二仕切り板を着脱することにより、又は、上下方向に伸ばしたり折り畳んだりすることにより、組み立てや折り畳みが簡易にできる。
【符号の説明】
【００５７】
１…収納箱、２…側面部、２ａ…開口、３…収納部、３ａ…収納部の開口、４ａ…内側布材、４ｂ…外側布材、４ｃ…蓋部、４ｄ…面ファスナ、１０…上面部、１１…下面部、１２…左面部、１３…右面部、１４…後面部、１４ａ…線ファスナ、１５…仕切り板、Ｔ…硬質部材
【図１】
0003181243.tif 000003
【図２】
0003181243.tif 000004
【図３】
0003181243.tif 000005
【図４】
0003181243.tif 000006
【図５】
0003181243.tif 000007